(57)【要約】【課題】ＨＤＭＩ規格に準拠した出力ＨＤＭＩコネクタを有する機器からの信号を、取り扱う装置であって、特にＨＤＭＩ選択時の応答性能を向上する。【解決手段】入力アナログ映像信号の同期信号の周波数判別を行う周波数判別器（３１Ａ）と、判別結果にしたがって前記入力アナログ映像信号に対する走査線変換処理、画角調整を決定して実行する映像信号処理回路（３１Ｂ）とを有する。ＨＤＭＩ信号処理部２０は、ＨＤＭＩコネクタを介して受信されたデジタル信号から映像信号の属性を判別し、これを受けた制御手段（２３）は、判別した属性情報の内容に基づいて前記周波数判別器の非動作を決定したときは、前記周波数判別器に代わって、前記映像信号処理回路での走査線変換処理の内容、画角調整の内容の少なくともいずれか１つを決定する。【選択図】    図１
2006019809.tif 000002
【特許請求の範囲】
【請求項１】
入力アナログ映像信号の同期信号の周波数判別を行う周波数判別器と、
前記周波数判別器の判別結果にしたがって、前記入力アナログ映像信号に対する走査線変換処理の内容、画角調整の内容の少なくともいずれか１つを決定して実行する映像信号処理回路と、
ＨＤＭＩ規格に準拠したＨＤＭＩバスケーブルを介して接続されるＨＤＭＩコネクタと、
前記ＨＤＭＩコネクタを介して受信されたデジタル信号から映像信号の属性を判別する属性判別手段と、
前記属性判別手段で判別した属性情報の内容に基づいて、前記周波数判別器の動作・非動作を決定すると共に、前記周波数判別器の非動作を決定したときは、前記周波数判別器に代わって、前記映像信号処理回路での走査線変換処理の内容、画角調整の内容の少なくともいずれか１つを決定する制御手段と
を具備したことを特徴とする映像信号受信装置。
【請求項２】
さらに偏向回路が設けられており、この偏向回路は、前記周波数判別器の判別結果にしたがって、偏向信号の周波数を切り替えられ、前記周波数判別器が非動作のときは、前記属性判別手段で判別した属性情報の内容に基づいて、前記制御手段により、偏向信号の周波数を切り替えられることを特徴とする請求項１記載の映像信号受信装置。
【請求項３】
前記映像信号処理回路の出力段には、ミュート回路が含まれており、このミュート回路は、前記前記映像信号処理回路での走査線変換処理の内容、画角調整の内容が特定される途中はミュートを実行し、該走査線変換処理、画角調整が実行された後に、ミュート解除を行うことを特徴とする請求項１記載の映像信号受信装置。
【請求項４】
前記ＨＤＭＩコネクタとは異なる入力端子から取り込まれたアナログ映像信号が
映像信号処理回路で処理されているときに、前記属性判別手段は、前記ＨＤＭＩコネクタを介して受信されたデジタル信号から映像信号の属性を予め判別して保存していることを特徴とする請求項１記載の映像信号受信装置。
【請求項５】
周波数判別器により、入力アナログ映像信号の同期信号の周波数判別を行い、前記周波数判別器の判別結果にしたがって、映像信号処理回路の前記入力アナログ映像信号に対する走査線変換処理の内容、画角調整の内容の少なくともいずれか１つを決定する映像信号受信方法において、
前記ＨＤＭＩコネクタを介して受信されたデジタル信号から映像信号の属性を判別し、
判別した属性情報の内容に基づいて、前記周波数判別器の動作・非動作を決定すると共に、前記周波数判別器の非動作を決定したときは、前記周波数判別器に代わって、前記映像信号処理回路での走査線変換処理の内容、画角調整の内容の少なくともいずれか１つを決定することを特徴とする映像信号受信方法。
【発明の詳細な説明】
【技術分野】
【０００１】
この発明は、デジタル音声信号が多重化されたデジタル映像信号を伝送する規格化されたデジタル伝送システムに係り、特にその伝送されたデジタル映像信号を受信し、装置の設定状態を制御する方法に特徴を有する映像信号受信装置及び映像信号受信方法に関する。
【背景技術】
【０００２】
周知のように、デジタル映像信号を伝送するための規格として、ＤＶＩ（Digital Visual Interface）規格が普及している。そして、近年では、このＤＶＩ規格をさらに改良したデジタル信号伝送規格として、ＨＤＭＩ（High Definition Multimedia Interface）規格が採用されるようになってきている。
【０００３】
このＨＤＭＩ規格には、例えば、デジタル映像信号のブランキング期間にデジタル音声信号を多重化して音声伝送を行なうことが可能であること、デジタル映像信号をＲ，Ｇ，Ｂ形式の他に色差ＹＣｂＣｒ形式で伝送することが可能であること、ＵＳＢ（Universal Serial Bus）ライクの小型のＨＤＭＩコネクタで接続することが可能であること等々、ＤＶＩ規格にない種々の規定が盛り込まれている。
【０００４】
上記のようにＨＤＭＩ規格は、多様性があることから、ＨＤＭＩコネクタを装備する機器、ディスプレイ装置などが普及することが考えられる。しかし、このＨＤＭＩ規格対応の装置を用いるには、従来の機器との関係で様々な点を考慮する必要が生じる。
【０００５】
特に従来のテレビジョン受信機で、各種のフォーマットの入力映像信号を取り扱うことができる受信機は、現段階ではＨＤＭＩ規格との関連性が考慮されていない。
【特許文献１】特開平９−１２８１８２号公報
【発明の開示】
【発明が解決しようとする課題】
【０００６】
そこで、この発明は上記事情を考慮してなされたもので、ＨＤＭＩ規格に準拠した出力ＨＤＭＩコネクタを有する機器からの信号を、取り扱う装置であって、特にＨＤＭＩ選択時の応答性能を向上した映像信号受信装置及び映像信号受信方法を提供することを目的とする。
【課題を解決するための手段】
【０００７】
この発明に係る映像信号受信装置では、受信装置の制御部に対して、ＨＤＭＩ規格に準拠したＨＤＭＩ信号処理部に内蔵されているＨＤＭＩ制御部から、入力映像信号の属性情報を伝達できるようにし、受信装置のメイン制御部の信号判定負担を軽減するものである。
【発明の効果】
【０００８】
ＨＤＭＩと異なる入力ソースインターフェースの選択状態から、ＨＤＭＩ選択状態に切り替えたとき、応答時間が短くてすみ、且つ電力消費の軽減を得ることができる。
【発明を実施するための最良の形態】
【０００９】
以下、この発明の実施の形態について図面を参照して詳細に説明する。図１は、この実施の形態で説明する映像信号受信装置１１を示している。この映像信号受信装置１１は、テレビジョン放送信号を受信する機能と、アナログ映像及び音声信号を受信する機能と、ＨＤＭＩ規格に準拠したデジタル映像信号を受信する機能とを有している。
【００１０】
すなわち、テレビジョン放送信号は、アンテナ１２で受信され、ＴＶ（television）入力端子１３を介してテレビジョン信号処理部１４に供給される。このテレビジョン信号処理部１４は、入力されたテレビジョン放送信号からチューナ部１４ａにより所定のチャンネルの信号を取り出し、信号処理部１４ｂによりアナログの映像信号と音声信号とを復元して、セレクタ１５に出力している。また、テレビジョン信号処理部１４には、例えばＣＡＴＶ（Cable television）入力端子１３ｂからの信号も入力可能である。
【００１１】
また、アナログ映像及び音声信号は、ＡＶ（Audio Video）入力端子１６で受信され、そのまま、セレクタ１５に入力される。
【００１２】
さらに、外部機器２０１からＨＤＭＩ規格に準拠したＨＤＭＩケーブルバス１８を介して供給されるデジタル映像信号およびデジタル音声信号は、ＨＤＭＩコネクタ１９で受信される。外部機器２０１としては、ＨＤＭＩ規格に準拠したＨＤＭＩコネクタを有する、例えばＳＴＢ（Set Top Box）、ＤＶＤ（Digital Video Disc）機器がある。
【００１３】
セレクタ１５は、テレビジョン信号処理部１４から出力されるアナログの映像及び音声信号と、ＡＶ入力端子１６に供給されたアナログ映像及びアナログ音声信号と、ＨＤＭＩ信号処理部２０から出力されるアナログの映像及びアナログ音声信号とを、選択的に切り替えて導出する機能を有する。
【００１４】
ここで、アナログ音声信号は、音声信号処理回路３３に供給される。音声信号処理部３３からの出力は、スピーカシステム３４に供給される。また、セレクタ１５からの映像信号は、周波数判別器３１Ａを介して映像信号処理回路３１Ｂに入力される。周波数判別器４１は、入力したアナログ映像信号の例えば同期信号から、このアナログ映像信号の属性を判定する。
【００１５】
属性としては、画角（アスペクト比（４：３、又は１６：９））、フィールド周波数（５０Ｈｚ，又は６０Ｈｚ）、走査線数（飛び越し走査か又は順次走査か）等を判定する。この判定内容によって、映像信号処理回路３１における走査線変換処理、及びスケーラーによる処理（画角（アスペクト比設定））が変化するし、また、偏向回路３１Ｃによる走査速度、走査線数などの設定が変化する。
【００１６】
映像信号処理回路３１で処理された映像信号は、出力回路（図示せず）を介してディスプレイ３２に供給される。ディスプレイ３２は、陰極線管(カラーＣＲＴ)であるが、液晶ディスプレイ、プラズマディスプレイ、フィールドエミッションタイプディスプレイなどが可能である。
【００１７】
ここで、この映像信号受信装置１１は、上記した各種の受信動作を含むその全ての動作を制御部２３によって統括的に制御されている。この制御部２３は、ＣＰＵ（Central Processing Unit）等を内蔵しており、操作部２４からの操作情報を受け、または、リモートコントローラ２５から送出された操作情報を受信部２６を介して受信し、その操作内容が反映されるように各部をそれぞれ制御している。
【００１８】
この場合、制御部２４は、メモリ部２７を利用している。すなわち、このメモリ部２７は、主として、制御部２４のＣＰＵが実行する制御プログラムを格納した読み出し専用メモリと、該ＣＰＵに作業エリアを提供する読み出し書き込みメモリと、各種の設定情報及び制御情報等が格納される不揮発性メモリとを含んでいる。
【００１９】
図２には、上記ＨＤＭＩ信号処理部２０の詳細を示している。ＨＤＭＩ規格に準拠したデジタル伝送バスであるＨＤＭＩケーブル１８は、主として、ＴＭＤＳ、ＤＤＣ及びPowerと称される３種類のラインから構成される。
【００２０】
このうち、ＴＭＤＳは、外部機器２０１から映像信号受信装置１１のＨＤＭＩコネクタ１９にＨＤＭＩ規格のデジタル映像信号およびデジタル音声信号を伝送するために使用される。このＴＭＤＳは、ＤＶＩ対応機器２０２からのデジタル映像信号を伝送することも可能である。
【００２１】
ＤＤＣは、外部機器２０１と映像信号受信装置１１との間で制御データおよび同期用クロックなどを伝送するために使用される。制御データに、ビデオやオーディオの属性情報も含まれる。
【００２２】
また、Powerは、前記外部機器１７から例えば５Ｖ程度の一定電圧をＨＤＭＩコネクタ１９に印加するために使用される。これは、映像信号受信装置１１が、ＨＤＭＩコネクタ１９のPowerのラインの電圧レベルを見ることにより、外部機器２０１が接続されているか否かを判別するため、つまり、接続認識信号として使用される。
【００２３】
ＨＤＭＩコネクタ１９を介して受信したＨＤＭＩ規格のデジタル信号は、ＨＤＭＩレシーバ２１１に供給される。このＨＤＭＩレシーバ２１１は、入力されたデジタル信号に同期した信号取り込みを行い、次の分離・変換処理部２１２に出力する。分離・変換部２１２では、映像成分と音声成分とを分離して、ディスプレイおよびスピーカシステムに適応する信号に変換している。
【００２４】
分離・変換部２１２から出力されたデジタル映像信号は、映像情報処理部２１３に出力され、デジタル音声信号は、音声情報処理部２１４に出力される。映像情報処理部２１３では、入力された映像成分に対してＭＰＥＧ（Moving Picture Experts Group）デコード処理を施し、デコード出力をデジタルアナログ変換部２１５に出力する。このデジタルアナログ変換部２１５において、アナログ映像信号が復元され，出力回路２１７を介して出力する。
【００２５】
また、音声情報処理部２１４では、入力された音声成分に対して例えば、リニアＰＣＭ（Pulse Code Modulation）デコード処理を施している。入力された音声成分の属性によっては、ドルビー処理、ＡＣ３対応処理、ＭＰＥＧ対応処理を施して、復号を行う。音声情報処理部２１４の出力は、デジタルアナログ変換部２１６において、アナログ音声信号に変換され、出力回路２１８を介して出力される。
【００２６】
ＨＤＭＩ信号処理部２０は、ＨＤＭＩ制御部２２１を内蔵している。ＨＤＭＩ制御部２２１は、例えばマイクロコンピュータ等を内蔵しており、制御部２３からの指令をＨＤＭＩ信号処理部２０内の各機能に反映することができる。また、ＤＤＣを介して送られて来た制御データを解析して、その結果をＨＤＭＩ信号処理部２０内の各機能に反映することができる。
【００２７】
また、受信されたデジタル信号に、予め設定されたデータに対して変化が生じたことを検出した場合、検出信号を音声ミュート制御部（図示せず）に出力している。また、ＨＤＭＩ制御部２２１は、ＨＤＭＩコネクタ１９のPowerの電圧レベルを監視して、その電圧レベルに変化が生じたことにより、ＨＤＭＩコネクタ１９が抜き差しされたことを検出し、検出信号を音声ミュート制御部（図示せず）に出力している。音声ミュート制御部は、ＨＤＭＩレシーバ２１１から検出信号が供給された状態で、または、ＨＤＭＩ制御部２２１から検出信号が供給された状態で、デジタルアナログ変換部２１６及び出力回路２１８に対してミュート信号を出力する。
【００２８】
ここで、上記のＨＤＭＩ制御部２２１は、装置の制御部２３に対して情報を伝送することができる。伝送する情報としては、例えばＨＤＭＩによる受信状態が選択されていること、ＨＤＭＩ制御部２２１で解析したデータのうち、例えば音声に関する属性情報は、映像に関する属性情報である。映像に関する属性情報としては、
走査線変換処理に必要な情報（飛び越し走査線によるフィールドか順次走査によるフレームかを示す情報）、画角調整に必要な情報（アスペクト比の情報、画素数の情報など）である。さらにはフィールド周波数、フレーム周波数の情報も存在する。
【００２９】
図３は、上記した映像信号受信装置１１の全体的な動作をまとめたフローチャートを示している。まず、開始され、ステップＳＡ１で電源が投入されると、制御部２３は、ステップＳＡ２で、いずれの受信機能が選択されたかを特定する。
【００３０】
この場合、テレビジョン放送信号の受信が選択されると、制御部２３は、ステップＳＡ３で、テレビジョン信号処理部１４を制御するとともに、このテレビジョン信号処理部１４から出力されるアナログの映像及び音声信号を選択するようにセレクタ１５を制御して、処理を終了する。
【００３１】
また、上記ステップＳＡ２でアナログの映像及び音声信号の受信が選択されていることが判別されると、制御部２３は、ステップＳＡ４で、ＡＶ入力端子１６に入力されたアナログの映像及び音声信号を選択するようにセレクタ１５を制御して、処理を終了する。
【００３２】
さらに、上記ステップＳＡ２でＨＤＭＩ規格に準拠したデジタル映像信号の受信が選択されているこを判別すると、制御部２３は、ステップＳＡ５で、ＨＤＭＩ信号処理部２０の動作設定を行うとともに、このＨＤＭＩ信号処理部２０から出力されるアナログの映像及び音声信号を選択するようにセレクタ１５を制御して、処理を終了する。
【００３３】
ＨＤＭＩ信号処理部２０の動作設定としては、例えばＨＤＭＩ制御部２２１は、ＨＤＭＩコネクタ１９を介して送られてくる制御情報から、映像信号の圧縮方式、アスペクト比情報、走査線数情報、画素数情報、フィールド或はフレーム周波数の情報、などを解析する。そしてこれらの属性に適応する処理状態に処理部内の各ブロック機能を設定する。音声信号処理に関しても同様に、送られてきた属性に適応するように音声処理系統を設定する。
【００３４】
図４は、ＨＤＭＩ信号処理部２０の動作設定が行われた場合と、行われなかった場合の制御部２３の処理動作を示している。電源がオンされて、ミュート状態が設定され、ＨＤＭＩが選択されているかどうかの判定が行われる(ステップＳＢ１，ＳＢ２)。ＨＤＭＩの選択が行われていない場合には、周波数判別器３１Ａが動作し、アナログ入力映像信号の属性が判別される。この判別結果に応じて、映像信号処理回路３１Ｂでは、入力アナログ映像信号に対する走査線変換処理の内容、画角調整の内容の少なくともいずれか１が決定される。
【００３５】
偏向回路は、前記周波数判別器の判別結果にしたがって、垂直偏向信号或は水平偏向信号の周波数が切り替えられ、入力アナログ映像信号に適合する周波数とされ、ディスプレイ３２に供給される。装置が安定する時間が経過すると、ミュートが解除され、映像出力がディスプレイ３２に得られ、音声出力がスピーカ３４に得られる。
【００３６】
ステップＳＢ２において、ＨＤＭＩが選択されていることが判明すると、ＨＤＩ制御部２０から属性情報が送られてきているかどうかを確認する（ステップＳＢ６）。属性情報が送られてきているときは、周波数判別器３１Ａの電源をオフする。また、属性情報に基づいて、映像信号処理回路３１Ｂを制御する。映像信号処理回路３１Ｂでは、走査線変換処理の内容、画角調整の内容の少なくともいずれか１が決定される。また、偏向回路３１Ｃも前記属性情報に基づいて、垂直偏向信号或は水平偏向信号の周波数を切り替えられる。
【００３７】
上記したように、ＨＤＭＩが選択されたときは、周波数判別器３１Ａにおける動作を省略する、また、周波数判別器３１Ａの電源をオフする。このために、（１）ＨＤＭＩによるデジタル映像信号を表示する際には、選択から表示までの時間短縮が可能である。つまり周波数判別器３１Ａにおいて、周波数判別を行うための時間が不要である。さらに（２）ＨＤＭＩが選択されているときは、周波数判別器３１Ａの電源がオフされるので、電力節減にも有効である。
【００３８】
さらに、装置がスタンバイ状態にあるときは、次のような処理を行うこともできる。即ち、ＨＤＭＩ制御部２２１からの属性情報を用いて、映像信号処理回路３１Ｂ、偏向回路３１Ｃの設定を入力映像信号に適合するように設定し、待機するのである。このような待機状態を得ることで、ステップＳＢ６，ＳＢ７の処理を省略して、ミュートを解除し、出画を得ることができる。この方法であると、スタンバイ中に送信側から送信している送信信号のフォーマットが変わったとしても、スタンバイ解除したときに即座に適切な出画を得ることができる。
【００３９】
図５には、さらにこの発明の他の実施の形態を示している。この実施の形態は、装置が、ＨＤＭＩとは異なる入力ソース選択している期間に、ＨＤＭＩ側の入力映像信号の属性を検出して、常時あるいは定期的に保存更新するようにしても良い。保存個所は、ＨＤＭＩ制御部２２１、或は制御部２３のいずれでもよい。図５において、ステップＳＣ１でＨＤＭＩが非選択状態であれば、周波数判別（ステップＳＣ２）を行い、その判別結果に応じて、走査線変換処理、画角の調整、偏向回路の設定処理等が行われ（ステップＳＣ３）、ミュート解除（ステップＳＣ４）、出画（ステップＳＣ５）となる。ここで、制御部２３から、ＨＤＭＩ制御部２２１に対しては、入力信号の属性を検出して、保存する指令が行われる。
【００４０】
上記の出画状態で、今、ＨＤＭＩが選択されたとする。するとミュート（ステップＳＣ８）が行われ、ＳＣ６で蓄積している属性情報の読み取りが行われる（ステップＳＣ９）。次に属性情報に基づいて映像信号処理回路、偏向回路等の設定が行われ（ステップＳＣ１０）、周波数判別回路の電源オフ処理（ステップＳＣ１１）、ミュート解除（ステップＳＣ１２）、出画（ステップＳＣ１３）となる。そしてキー操作待ち状態になる（ステップＳＣ１４）。
【００４１】
また、上記した実施の形態において、映像信号受信装置１１としては、映像音声再生装置２２を含めて、例えば、ＣＲＴ（Cathode Ray Tube）を用いたテレビジョン放送受信機、液晶画面を用いたテレビジョン放送受信機、投射型の映像表示装置等が考えられる。
【００４２】
さらに、この映像信号受信装置１１に、ＨＤＭＩ規格に準拠したデジタル映像信号を供給する外部機器１７としては、例えば、ＤＶＤ（Digital Versatile Disk）プレーヤ、Ｄ（Digital）−ＶＨＳ（Video Home System）レコーダ、セットトップボックス、デジタルビデオカメラ等が考えられる。
【００４３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００４４】
【図１】この発明の実施の形態を示すもので、映像信号受信装置を説明するために示すブロック構成図。
【図２】図１のＨＤＭＩ信号処理部の具体的構成例を示す図。
【図３】同映像信号受信装置における全体的な動作を説明するために示すフローチャート。
【図４】同映像信号受信装置における本発明に関連する動作を説明するために示すフローチャート。
【図５】同映像信号受信装置における本発明に関連する他の動作を説明するために示すフローチャート。
【符号の説明】
【００４５】
１１…映像信号受信装置、１２…アンテナ、１３…ＴＶ入力端子、１４…テレビジョン信号処理部、１５…セレクタ、１６…ＡＶ入力端子、１８…ＨＤＭＩケーブルバス、１９…ＨＤＭＩコネクタ、２０…ＨＤＭＩ信号処理部、２１…スイッチ、２２…デジタル音声検出部、２３…制御部、２４…操作部、２５…リモートコントローラ、２６…受信部、２７…メモリ部。
【図１】
2006019809.tif 000003
【図２】
2006019809.tif 000004
【図３】
2006019809.tif 000005
【図４】
2006019809.tif 000006
【図５】
2006019809.tif 000007